(57)【特許請求の範囲】
【請求項１】
針廃棄用補助具（１）は、略立方体ないし略直方体に形成され、当該針廃棄用補助具（１）は、天面部と、当該天面部と対向する底面部と、右側面部と、当該右側面部と対向する左側面部と、正面部と、当該正面部と対向する背面部とを有し、
前記正面部から前記背面部に亘って、第１の溝（２）を貫通して形成し、当該第１の溝（２）は、略円柱状または略角柱状に形成され、
前記天面部から前記正面部を経て、前記底面部に向けて、第２の溝（３）を前記第１の溝（２）に至るまで形成し、当該第２の溝（３）は、切欠状に形成され、
前記廃棄部材（５）は、医療容器（５）であって、当該医療容器（５）は、袋部（７）と、廃棄する針の被穿刺部材（６）とを有し、
前記被穿刺部材（６）は、使用済の針を穿刺できる弾性体（６Ａ）を装着し、
前記廃棄部材（５）の袋部（７）は、丸めて前記針廃棄用補助具（１）の第１の溝（２）に装着され、
前記被穿刺部材（６）は、前記針廃棄用補助具（１）の第２の溝（３）に装着されることを特徴とする針廃棄用補助具（１）。
【請求項２】
前記針廃棄用補助具（１）は、正面部の前記第１の溝（２）より前記天面部側に向けて傾斜する斜面部（４）を形成した、ことを特徴とする請求項１に記載の針廃棄用補助具（１）。
【発明の詳細な説明】
【技術分野】
【０００１】
本発明は、使用済みの廃棄部材の一部（弾性体）に使用済みの針を穿刺して、安全確実に廃棄することのできる針廃棄用補助具に関するものである。
例えば人工透析のプライミングに使用した生理食塩液入り容器の空容器を本針廃棄用補助具に装着して、人工透析治療に使用した金属針を、空容器の口部（弾性体）に安全確実に穿刺することにより、針刺事故防止に寄与できる針廃棄用補助具に関するものである。
【背景技術】
【０００２】
現在、人工透析等の治療において金属針（ＡＶＦ針）が使用されているが、その針の誤刺等による医療事故が以前からたびたび危惧されている。針を廃棄する際、使用時に外したキャップに再び戻す場合なども、事故が起こりやすい。
【０００３】
そこで、針刺事故を、誰にでも容易に防止できる方法として、特許文献１や特許文献２に記載されたような発明が開示されている。
【０００４】
例えば特許文献１には、針の突き通らない硬質材料（金属、硬質プラスチック）からなる容器に、複数の弾性体を組み込んだ、携帯や設置可能な針刺事故防止用具が記載されている。しかし多くの弾性体を用いることから、本来の廃棄物（例えば針等）以外の廃棄物が増え、ゴミが増加することになる。また、容器の組み立てに使用する接着剤の粘着力や使用量などの規定があいまいで、実用化に際しては疑問である。
【０００５】
また特許文献２には、取付け具の上に載せたブロックで構成された医療鋭利物の保持及び処分装置、さらに蓋つきの容器に使用済みの刃物（外科用メス）や注射針を突き刺すブロックを収納した廃棄物の処分装置の発明が記載されている。
だがブロックのみのもの（前者）は、枠がないため、不用意に針等をブロックの端に刺したりすると、容易に抜け落ちてしまう可能性が高く、事故の要因となりうる（第２図から第４図）。一方、蓋つきのもの（後者）は前記の問題は解決するものの、装置の構造が複雑で、製造が煩雑でコスト高にもなる（第７図から第１２図）。
なお、廃棄方法の記載がないので、詳細は不明であるが、例えばブロックのみ廃棄する場合は、ブロックがむき出しとなるため菌の感染などの懸念があり、容器ごと廃棄する場合は、針やブロックに直接触れることがなく安全である半面、装置の構造が大仰なだけに無駄が大きく、ひいてはゴミの増大にもつながる。
【特許文献１】実用新案登録第３０６７９６８号公報
【特許文献２】特表平４−５０１５２２号公報
【発明の開示】
【発明が解決しようとする課題】
【０００６】
解決しようとする問題点は、簡易な構造で、針を穿刺するときに安全で、廃棄物の量が増えないように創作した針廃棄用補助具がない点である。
【課題を解決するための手段】
【０００７】
そこで本発明者は以上の課題を解決するために、鋭意検討を重ねた結果次の発明に到達した。
［１］本発明は、針廃棄用補助具（１）は、略立方体ないし略直方体に形成され、当該針廃棄用補助具（１）は、天面部と、当該天面部と対向する底面部と、右側面部と、当該右側面部と対向する左側面部と、正面部と、当該正面部と対向する背面部とを有し、
前記正面部から前記背面部に亘って、第１の溝（２）を貫通して形成し、当該第１の溝（２）は、略円柱状または略角柱状に形成され、
前記天面部から前記正面部を経て、前記底面部に向けて、第２の溝（３）を前記第１の溝（２）に至るまで形成し、当該第２の溝（３）は、切欠状に形成され、
前記廃棄部材（５）は、医療容器（５）であって、当該医療容器（５）は、袋部（７）と、廃棄する針の被穿刺部材（６）とを有し、
前記被穿刺部材（６）は、使用済の針を穿刺できる弾性体（６Ａ）を装着し、
前記廃棄部材（５）の袋部（７）は、丸めて前記針廃棄用補助具（１）の第１の溝（２）に装着され、
前記被穿刺部材（６）は、前記針廃棄用補助具（１）の第２の溝（３）に装着される針廃棄用補助具（１）を提供する。
［２］本発明は、前記針廃棄用補助具（１）は、正面部の前記第１の溝（２）より前記天面部側に向けて傾斜する斜面部（４）を形成した、［１］に記載の針廃棄用補助具（１）を提供する。
【発明の効果】
【０００８】
本発明の針廃棄用補助具１は、（１）誤刺事故の起きやすい使用済みの針を、安全確実に、しかも誰でも容易に、誤刺事故に遭遇することなく廃棄することができる。
（２）また使用済みの針の廃棄に際し、何度でも繰り返しての使用が可能である。
（３）また、従来、使用済みの生理食塩液の容器はそのまま廃棄するのみだったものを、本発明の針廃棄用補助具１ともに再利用することができ、さらに廃棄に係る必要なものは他にはないことから、コストの抑制やゴミの減量化につながる。
【発明を実施するための最良の形態】
【０００９】
図１は、本発明の針廃棄用補助具１（以下、補助具１）の概略図、図２は補助具１の斜視図、図３（Ａ）は補助具１の正面図、（Ｂ）は平面図、（Ｃ）は背面図、（Ｄ）は右側面図である。また図４は、使用済み廃棄部材５（医療容器）の使用形態の一例で、図５は本発明の補助具１の使用状態の一例である。
【００１０】
［補助具１の基本構造］
本発明の補助具１は図１、２、４、５に例示するように、略立方体ないし略直方体に形成され、天面部と、当該天面部と対向する底面部と、右側面部と、当該右側面部と対向する左側面部と、正面部と、当該正面部と対向する背面部とを有する。
補助具１は、前方（正面部）から後方（背面部）に亘って廃棄部材５の本体（袋部）７を装着する第１の溝２を貫通して形成している。
さらに天面部から正面部を経て、底面部に向けて、第２の溝３を第１の溝２に至るまで形成している。
第２の溝３は、廃棄部材５の被穿刺部材６を装着するために切欠状に形成された切欠溝である。
また補助具１は、正面部の第１の溝２より天面部側に向けて傾斜する斜面部４を形成している。
［補助具１の詳細］
補助台１は台の上に置いたときの安定性、使用済みの針９を廃棄部材５（医療容器５）の被穿刺部材６（口部６）への穿刺しやすさを考慮して、図１、２、４、５に例示するように、略立方体ないし略直方体に形成されている。また廃棄部材５（医療容器５）の本体７（医療容器５の袋部７）を装着固定しやくするために、第１の溝２として、略円柱状の溝を、前方（正面部）から後方（背面部）に亘って貫通して形成している。
使用済みの廃棄部材５（医療容器５）の本体７（医療容器５の袋部７）を溝２に挿入しやすくするために、挿入する側の上部の一辺の角を、斜めに切り取って斜面部４として形成している。
補助具１の略立方体または略直方体の形状は一例であり、同様の作用を維持できる形状であれば、何でも良い。
また第１の溝２は、図３に例示した廃棄部材５（医療容器５）の本体７（医療容器５の袋部７）部分を丸めて、安定して楽に入れられるように、丸みのある略円柱形状にするのが良いが、これに限定されず、例えば略角柱状であっても良い。
【００１１】
廃棄部材５（医療容器５）の被穿刺部材６（口部６、ゴム栓等の針の穿刺できる弾性体６Ａを有する）を、補助具１のちょうど中央辺りで挟んで固定できるように、天面部から正面部を経て、底面部に向けて、第２の溝３を第１の溝２に至るまで形成している。
第２の溝３は、前記したように切欠状に形成された切欠溝３である。
この切欠溝３の幅は、被穿刺部材６（口部６）が容易に装着でき、安定して固定できる大きさがよい。
切欠溝３の幅があまり大きすぎると被穿刺部材６（口部６）が固定できないため、廃棄する針９が刺しにくくなり、逆に幅が小さすぎると補助具１から本体７（医療容器５の袋部７）を装着したり、外したりするときにスムーズにできず、使い勝手が悪くなる。
また、被穿刺部材６（口部６）の位置を、補助具１のちょうど中央辺りに位置するようにすると、力加減しなくても、被穿刺部材６（口部６）に廃棄する針９を刺すときに、補助具１の前面（正面部）、背面部及び（左右）側面部にかかわらず、どの方向からでも補助具１に確実に差し込むことができるので、操作性が良くなる。
【００１２】
補助具１の構成材料は、コスト面や、成型加工のしやすさからすると、硬質の合成樹脂が好ましいが、丈夫な素材であり、装着した被穿刺部材６（口部６）に、安定した状態で廃棄する針９を刺すことができれば何でも良い。
【００１３】
［本発明の使用方法の一例、透析治療に使用した生理食塩液入り容器５と針９の場合］
（１）使用済みとなった生理食塩液の容器５の袋７部分を下から丸め、緩まないように両端をテープ等で固定する（図３の状態）。
（２）（１）の容器５を、口部６を上にした状態になるように、本発明の補助具１の第１の溝２に挿入する。
（３）廃棄する使用済みの針９を、容器５の口部６（弾性体６Ａ）の部分に、容易に抜けないようにしっかりと刺した後、補助具１から容器５ごと外して、容器５とともに廃棄する（図４）。使用済みである容器５も針９も、医療廃棄物として同時に処理できるので、安全な上に合理的である。
【産業上の利用可能性】
【００１４】
本発明の補助具１は、形状も比較的簡素であるため、設計及び成型・製造上の困難さが少なく、高いコストをかけずに、容易に製造することができる。また、従来は廃棄するのみの使用済みの生理食塩液の空容器を再利用することで、コストの抑制やゴミの減量化につながる。
【図面の簡単な説明】
【００１５】
【図１】本発明の針廃棄用補助具の概略図
【図２】針廃棄用補助具の斜視図
【図３】（Ａ）針廃棄用補助具の正面図、（Ｂ）平面図、（Ｃ）背面図、（Ｄ）右側面図
【図４】使用済み廃棄部材の使用形態の一例
【図５】本発明の針廃棄用補助具の使用状態の一例
【符号の説明】
【００１６】
１  （針廃棄用）補助具
２  第１の溝
３  第２の溝（切欠溝）
４  斜面部
５  廃棄部材（使用済みの医療容器）
６  （廃棄する針の）被穿刺部材（医療容器の口部）
６Ａ  弾性体
７  （廃棄部材）本体（医療容器の袋部）
８  固定用テープ
９  （使用済）針
【図１】
0004495988.tif 000002
【図２】
0004495988.tif 000003
【図３】
0004495988.tif 000004
【図４】
0004495988.tif 000005
【図５】
0004495988.tif 000006